(57)【特許請求の範囲】
【請求項１】
室内ユニット内に室内送風ファンと熱交換器を備え、前記室内ユニット前面又は上面に設けた吸込口より吸入した室内空気を熱交換し、前記吸込口下部に設けた吹出口から室内に送風し、ルーバモータの駆動により気流の上下方向を調節する水平ルーバを前記吹出口に設けた空気調和機に於いて、室温と設定温度の温度差に応じて圧縮機や室内送風ファン等を運転制御する制御装置を備えると共に、冷房運転の試運転または暖房運転の試運転を開始すると前記圧縮機と室内送風ファンをそれぞれ所定の回転数で強制的に運転する試運転手段を備え、この試運転手段作動時にはルーバモータにて水平ルーバを斜め下向きの方向で最大送風量が得られる所定角度に回動するルーバ制御手段を設けた事を特徴とする空気調和機。
【発明の詳細な説明】
【０００１】
【発明の属する技術分野】
この発明は空気調和機の設置やメンテナンス時に行う試運転に関するものである。
【０００２】
【従来の技術】
従来よりこの種の空気調和機では、設置後の動作確認やメンテナンス時に周囲の温度にかかわらず強制的に圧縮機や室内送風ファン等を運転して空気調和機の動作確認をする試運転が行われていた。
この動作確認は強制運転時の吹出温度や冷凍回路の圧力や電流値等を測定して予めマニュアル等に掲載されている図４・５に示す様な特性図と比較することで空気調和機の冷凍回路や各部品が正常に動作するかを判断する事が行われていた。
また吹出口に水平ルーバを備えると共に、この水平ルーバを回動するルーバーモータが備えられ、リモコン等の操作により使用者が簡単に前記水平ルーバを好みの角度に調整できる空気調和機も有った。
【０００３】
【発明が解決しようとする課題】
しかしながら、この従来の空気調和機は試運転時に作業者が誤って水平ルーバを閉じたまま運転したり、閉じていないまでも水平ルーバの角度が閉じる方向にかなり回動して運転した場合、水平ルーバの送風抵抗が大きくなり、送風量が減少する事で熱交換器での熱交換量が減少し、試運転時に実際に測定した吹出温度や冷凍回路の圧力等が、前記の正常状態の特性図と異なる値となることで、器具が正常であるにもかかわらず冷媒量の減少や送風モータの故障などの器具の故障が発生していると誤った判断をする場合が有り、空気調和機設置後の動作確認やメンテナンスによけいに時間を要する事があった。
【０００４】
【課題を解決するための手段】
この発明はこの点に着目し上記欠点を解決する為、特にその構成を、室内ユニット内に室内送風ファンと熱交換器を備え、前記室内ユニット前面又は上面に設けた吸込口より吸入した室内空気を熱交換し、前記吸込口下部に設けた吹出口から室内に送風し、ルーバモータの駆動により気流の上下方向を調節する水平ルーバを前記吹出口に設けた空気調和機に於いて、室温と設定温度の温度差に応じて圧縮機や室内送風ファン等を運転制御する制御装置を備えると共に、冷房運転の試運転または暖房運転の試運転を開始すると前記圧縮機と室内送風ファンをそれぞれ所定の回転数で強制的に運転する試運転手段を備え、この試運転手段作動時にはルーバモータにて水平ルーバを斜め下向きの方向で最大送風量が得られる所定角度に回動するルーバ制御手段を設けたものである。
【０００５】
【発明の実施の形態】
作業者が入力部３０にて冷房運転の試運転操作が行われれば、室内制御装置５内の試運転手段３５にて圧縮機８が５０ｒｐｓで、室内送風モータ４は１１００ｒｐｍで回転を開始し、ルーバ制御手段３６にて水平ルーバ２２が斜め下向きの方向で最大送風量が得られる所定角度になるようにルーバモータ２５が回動される。
【０００６】
また、暖房運転の試運転操作が行われれば、室内制御装置５内の試運転手段３５にて圧縮機８が７０ｒｐｓで、室内送風モータ４は１２５０ｒｐｍで回転を開始し、ルーバ制御手段３６にて水平ルーバ２２が斜め下向きの方向で最大送風量が得られる所定角度になるようにルーバモータ２５が回動される。
【０００７】
そして、作業者が試運転時に誤って水平ルーバ２２が閉じたまま運転したり、閉じていないまでも水平ルーバ２２の角度が閉じる方向に回動して運転した場合、熱交換量が減少する事で発生する、実際の吹出温度や圧力等とのズレにより器具が正常であるにもかかわらず、作業者が冷媒量の減少や室内送風モータ４の故障など器具の故障が発生していると誤った判断をする事が無くなるものである。
【０００８】
【実施例】
以下この発明の実施例を図面をもとに説明すれば、１は空気調和機の室内ユニットで室内の壁等に設置され、内部にフィンチューブ式の室内熱交換器２とクロスフロー式の室内送風ファン３と、この室内送風ファン３を回転する室内送風モータ４と、この室内送風モータ４等に接続され室内ユニット１の運転制御を行う室内制御装置５を備え、室内空気を吸込み熱交換して室内に戻す事によって室内空気の温度調節を行うものである。
【０００９】
６は屋外に設置され前記室内ユニット１と壁等を貫通して連絡配管７によって接続される室外ユニットで、内部には圧縮機８と冷凍回路の切替をする四方弁９とフィンチューブ式の室外熱交換器１０とキャピラリーチューブ等の減圧装置１１等を備え、前記圧縮機８と四方弁９と室外熱交換器１０と減圧装置１１と前記室内熱交換器２を順次冷媒配管にて連通し冷凍回路を形成し、前記四方弁９の切換により冷房運転と暖房運転を切換て空気調和機の運転を行うものである。
前記室外ユニット６にはサービスバルブ１２が設けられ、前記連絡配管７と室外ユニット６を接続すると共にメンテナンス時の冷媒の補充や冷媒圧力の簡易的な測定ができるものである。
【００１０】
図２にて前記室内ユニット１を詳しく説明すれば、１３は本体ベースで、前記室内熱交換器２や室内送風ファン３、前部ドレンパン１４等の機能部品が取り付けられるものである。
【００１１】
前記本体ベース１３の前面には前面カバー１５を備え、この前面カバー１５の正面には横長ルーバー状の吸込口１６を、上面には上吸込口１７を設けている。
１８は樹脂製の枠に同じく樹脂製の網を溶着して成形されたフィルタで、前記吸込口１６・上吸込口１７の内側に設けられ、吸込空気中のゴミを捕獲するものである。
前記本体ベース１３の中央やや上部には後部ドレンパン１９を、中央から下方にファンケース２０を一体に形成している。
【００１２】
前記室内熱交換器２は横長のフィンチューブ式の熱交換器で、前面中央より上面にかけて効率を上げるために前記室内送風ファン３を囲むように４段階に屈曲し、後ろ側は後部ドレンパン１９から前方へ向かって斜め上方向に逆Ｖ字形に位置し、これに続いて前方の中央やや下部の前部ドレンパン１４まで順次連なるものである。
また前記前部ドレンパン１４は冷房運転時、前面側の前記熱交換器２で発生した結露水を受けるもので左右に設けた脚（図示せず）によって本体ベース１３に取り付けられる。
【００１３】
また前部ドレンパン１４の下方には吹出口２１が設けられ、この吹出口２１には上下方向の風向をコントロールする水平ルーバ２２と左右方向の風向をコントロールする左右風向板２３を設けている。
前記水平ルーバ２２は横長扁平の樹脂板の左右と中央に回動軸２４を設け、ルーバーモータ２５により水平ルーバ２２の角度を変えることで吹出風の上下方向を好みの方向に向けるもので、一般に冷房運転時には水平方向に暖房運転時には下方に向けて運転するものである。
【００１４】
前記左右風向板２３はファンケース２０の下端に取り付けられ吹出風の左右方向を手動により好みの方向に向けることができるものである。
前記室内送風ファン３は本体ベース１３のファンケース２０の前方と前部ドレンパン１４の背面との間に適宜間隔を保って位置するもので、前記前面カバー１５の側部に備えた室内送風モータ３によって駆動される。
【００１５】
２６は前記吸込口１６と室内熱交換器２の間に設けた室温センサで、吸込空気の温度を検知するものである。
２７は前記室内熱交換器２を構成する銅管やフィンの内部の温度を検知する熱交センサ。
【００１６】
図３のブロック図にて制御回路の説明をすれば、２８は前記室外ユニット６内に備えられた室外制御装置で、前記室内制御装置５と連絡電線２９にて接続されるものである。
前記室内制御装置５の入力側には、前記室温センサ２６や熱交センサ２７とリモコン等の操作部（図示せず）で操作された室温設定や送風方向等の信号を伝達する入力部３０等が接続され、出力側には前記室内送風ファン３を駆動する室内送風モータ４や水平ルーバ２２を回動するため正逆回転自在のステップモータから成るルーバーモータ２５やランプ等の表示装置が接続されている。
【００１７】
前記室外制御装置２８の入力側には、外気温センサ（図示せず）等のセンサー類３１や前記圧縮機８の電流センサが接続され、出力側には前記圧縮機８を駆動するインバータ装置３２や、室外送風ファン３３を駆動する室外送風モータ３４や、前記四方弁９等に接続されている。
【００１８】
３５は前記室内制御装置５の中に設けられた試運転手段で、前記入力部３０の操作によって圧縮機８や室内送風モータ４、室外送風モータ３４を強制的に運転させる事で、設置後やメンテナンス時の運転動作確認を行うものである。
３６は前記室内制御装置５の中に設けられたルーバ制御手段で、通常運転時のルーバモータ２５の回動を制御するだけでなく、前記試運転手段３５の作動時に水平ルーバ２２による風向を斜め下向きで送風抵抗の一番少ない所定角度に位置させるものである。
【００１９】
作動について説明すれば、作業者が入力部３０にて冷房運転の試運転操作が行われれば、室内制御装置５内の試運転手段３５にて圧縮機８が５０ｒｐｓで、室内送風モータ４は１１００ｒｐｍで回転を開始し、ルーバ制御手段３６にて水平ルーバ２２が斜め下向きの方向で最大送風量が得られる所定角度になるようにルーバモータ２５が回動される。
【００２０】
また、暖房運転の試運転操作が行われれば、室内制御装置５内の試運転手段３５にて圧縮機８が７０ｒｐｓで、室内送風モータ４は１２５０ｒｐｍで回転を開始し、ルーバ制御手段３６にて水平ルーバ２２が斜め下向きの方向で最大送風量が得られる所定角度になるようにルーバモータ２５が回動される。
【００２１】
そして、しばらくして冷凍サイクルが安定した状態で、サービスバルブ１２の圧力を圧力計（図示せず）で測定し、水銀棒温度計等（図示せず）を吹出口２１の前に位置させ吹出温度を測定し、電流計（図示せず）により空気調和機の入力電流を測定し、図４・５の特性図と比較する事で器具や室内送風モータ４等の故障や、冷媒ガスの不足などを正確に推察する事ができるものであり、作業者が試運転時に誤って水平ルーバ２２が閉じたまま運転したり、閉じていないまでも水平ルーバ２２の角度が閉じる方向に回動して運転した場合、熱交換量が減少する事で発生する、実際の吹出温度や圧力等とのズレにより器具が正常であるにもかかわらず、作業者が冷媒量の減少や室内送風モータ４の故障など器具の故障が発生していると誤った判断をする事が無くなるものである。
【００２２】
また、作業者が試運転時の水平ルーバ２２の位置を角度変更したり確認したりする必要が無くなり、設置作業やメンテナンスの作業を短時間で行うことができるようになるものである。
【００２３】
【発明の効果】
以上のようにこの発明によれば、試運転時に冷凍サイクルが安定した状態で、冷媒の圧力、吹出温度、空気調和機の入力電流を特性図と比較する事で、室内送風モータ等の故障や冷媒ガスの不足などを正確に推察する事ができるようになり、器具故障に対する誤った判断をする事が無くなり、設置作業やメンテナンス作業を短時間で行う事ができるようになった。
【図面の簡単な説明】
【図１】この発明一実施例の冷凍回路の説明図。
【図２】同室内ユニット側面の断面図。
【図３】同要部のブロック図。
【図４】同冷房試運転時の特性図。
【図５】同暖房試運転時の特性図。
【符号の説明】
２  室内熱交換器
３  室内送風ファン
５  室内制御装置
２１  吹出口
２２  水平ルーバ
２５  ルーバーモータ
３５  試運転手段
３６  ルーバ制御手段
【図１】
0004132942.tif 000002
【図２】
0004132942.tif 000003
【図３】
0004132942.tif 000004
【図４】
0004132942.tif 000005
【図５】
0004132942.tif 000006